(57)【要約】【課題】  大型化及びコストアップを抑えると共に、高精度な焦点検出を実現する光学機器を提供する。【解決手段】  対物レンズからの光束を分割して少なくとも一対の像を形成し、前記少なくとも一対の像を光電変換する受光素子からの信号に基づいて、前記対物レンズの焦点状態を検出する焦点検出系を有し、前記焦点検出系は、前記対物レンズからの光路上において、前記対物レンズによる結像面又は当該結像面と等価な面である第１の結像面よりも対物レンズ側に配置され、前記対物レンズからの光束を前記第１の結像面よりも前記対物レンズ側の第２の結像面上に結像させる第１のレンズと、前記第２の結像面からの光束を前記受光素子上に再結像させて前記一対の像を形成する第２のレンズとを有することを特徴とする光学機器を提供する。【選択図】          図２
2006308926.tif 000002
【特許請求の範囲】
【請求項１】
対物レンズからの光束を分割して少なくとも一対の像を形成し、前記少なくとも一対の像を光電変換する受光素子からの信号に基づいて、前記対物レンズの焦点状態を検出する焦点検出系を有し、
前記焦点検出系は、
前記対物レンズからの光路上において、前記対物レンズによる結像面又は当該結像面と等価な面である第１の結像面よりも対物レンズ側に配置され、前記対物レンズからの光束を前記第１の結像面よりも前記対物レンズ側の第２の結像面上に結像させる第１のレンズと、
前記第２の結像面からの光束を前記受光素子上に再結像させて前記一対の像を形成する第２のレンズとを有することを特徴とする光学機器。
【請求項２】
前記第２のレンズの実質開口面と対物レンズの射出瞳面近傍とが前記第１のレンズにより結像関係にあることを特徴とする請求項１に記載の光学機器。
【請求項３】
前記第１のレンズは、前記対物レンズを透過した光束を縮小して、前記第２の結像面に結像させることを特徴とする請求項１又は２に記載の光学機器。
【請求項４】
前記第１のレンズは、正の光学的パワーを有することを特徴とする請求項１乃至３のいずれか１項に記載の光学機器。
【請求項５】
前記第１のレンズは、前記少なくとも一対の像を形成する光束のそれぞれを、前記第２の結像面に結像する複数のレンズで構成されることを特徴とする請求項１乃至４のいずれか１項に記載の光学機器。
【請求項６】
前記第２のレンズは、前記少なくとも一対の像を形成する光束のそれぞれを、前記受光素子に再結像する複数のレンズで構成されることを特徴とする請求項１乃至５のいずれか１項に記載の光学機器。
【請求項７】
前記受光素子は、前記対物レンズを介して被写体像を撮像する撮像素子であることを特徴とする請求項１乃至６のいずれか１項に記載の光学機器。
【請求項８】
前記焦点検出系は、前記対物レンズと前記撮像素子との間の光路に、挿脱可能であることを特徴とする請求項７記載の光学機器。
【発明の詳細な説明】
【技術分野】
【０００１】
本発明は、一般には、光学機器に係り、特に、光学系の焦点状態を検出する焦点検出系を有する撮像装置に関する。本発明は、例えば、デジタルスチルカメラに好適である。
【背景技術】
【０００２】
近年のデジタルカメラやビデオカメラなどの普及に伴って、かかる撮像装置には高品位化及び小型化がますます要求されるようになってきている。特に、高品位化の要請から、被写体光の焦点を検出する焦点検出装置の高性能化が望まれている。
【０００３】
焦点検出装置は、撮像レンズを通過した光束を利用した受光型の焦点検出方式として、像ずれ方式（位相差検出方式）を従来から用いている（例えば、特許文献１参照。）。図６は、従来の焦点検出装置１８００を有する撮像装置１０００の構成を示す概略断面図である。被写体からの光束は、撮像レンズ１１００を通過し、主ミラー１２００によって反射され、焦点板１３００に被写体像を形成する。かかる被写体像は、ペンタプリズム１４００において複数回の反射を経て、接眼レンズ１５００を介して撮像者に視認される。一方、主ミラー１２００を透過する光束は、撮像素子１７００に到達する光と、サブミラー１６００によって反射されて焦点検出装置１８００に導かれる光とに分離される。
【０００４】
図７を参照して、焦点検出の原理について説明する。図７は、撮像レンズ１１００及び焦点検出装置１８００のみを展開して示す概略上面図である。ここでは、焦点検出装置１８００の構成等の詳細な説明は省略するが、焦点検出装置１８００は、位相差検出方式を利用して、撮像レンズ１１００の焦点状態を検出する。具体的には、焦点検出装置１８００は、撮像レンズ１１００による結像面（予定結像面）ＳＩＳよりも後段に配置され、撮像レンズ１１００の結像点が予定結像面ＳＩＳ上に位置する場合、即ち、合焦状態では、２つのセンサー列１８１０及び１８２０上に形成される２像（光量分布）の間隔が所定間隔となり、撮像レンズ１１００の結像点が予定結像面ＳＩＳの前段（即ち、撮像レンズ１１００側）にある場合には、２つのセンサー列１８１０及び１８２０上に形成される２像が互いに近づいた状態となり、撮像レンズ１１００の結像点が予定結像面ＳＩＳの後段（即ち、撮像レンズ１１００と反対側）にある場合には、２つのセンサー列１８１０及び１８２０上に形成される２像が互いに離れた状態となる。
【０００５】
２つのセンサー列１８１０及び１８２０上に形成される２像の間隔の所定間隔からのずれ量は、撮像レンズ１１００のデフォーカス量（即ち、焦点ずれ量）に対してある関数関係にある。従って、かかる焦点ずれ量を適当な算出手段で算出し、且つ、２像の間隔が所定間隔に対して広いか狭いかを検討することにより、撮像レンズ１１００の焦点ずれの方向を検出することができる。
【０００６】
これらの技術に関しては、他にも幾つか提案されている（例えば、特許文献２及び３参照。）。特許文献２は、回転楕円反射面をサブミラーとして採用することで、検出可能な領域を拡張する技術を開示している。特許文献３は、センサ列を使用せず、焦点を検出するセンサとして撮像装置の撮像素子を使用する技術を開示している。
【特許文献１】特開昭６３−１８３１３号公報
【特許文献２】特開平９−１８４９６５号公報
【特許文献３】特開平１１−１１９０８９号公報
【発明の開示】
【発明が解決しようとする課題】
【０００７】
しかしながら、特許文献１及び３に開示されている焦点検出装置は、光学系の全長が長いために装置の大型化を招き、結果として、撮像装置が大型化してしまう。
【０００８】
また、特許文献２に開示されている焦点検出装置は、得られる像が歪んだ形状となるため、像を検出するセンサーを像に併せて歪ませた形状にする必要がある。従って、特殊な形状のセンサーが必要となってコストアップを招いてしまったり、像を検出するセンサーとして撮像素子を用いることができなかったりする。また、回転楕円反射面も高精度に製作することが難しいため、コストアップの原因となる。
【０００９】
そこで、本発明は、大型化及びコストアップを抑えると共に、高精度な焦点検出を実現する光学機器を提供することを例示的目的とする。
【課題を解決するための手段】
【００１０】
上記目的を達成するために、本発明の一側面としての光学機器は、対物レンズからの光束を分割して少なくとも一対の像を形成し、前記少なくとも一対の像を光電変換する受光素子からの信号に基づいて、前記対物レンズの焦点状態を検出する焦点検出系を有し、前記焦点検出系は、前記対物レンズからの光路上において、前記対物レンズによる結像面又は当該結像面と等価な面である第１の結像面よりも対物レンズ側に配置され、前記対物レンズからの光束を前記第１の結像面よりも前記対物レンズ側の第２の結像面上に結像させる第１のレンズと、前記第２の結像面からの光束を前記受光素子上に再結像させて前記一対の像を形成する第２のレンズとを有することを特徴とする。
【００１１】
本発明の他の目的又はその他の特徴は、以下、添付図面を参照して説明される好ましい実施例によって明らかにされるであろう。
【発明の効果】
【００１２】
本発明によれば、大型化及びコストアップを抑えると共に、高精度な焦点検出を実現する光学機器を提供することができる。
【発明を実施するための最良の形態】
【００１３】
以下、添付図面を参照して、本発明の一側面としての光学機器について説明する。なお、各図において、同一の部材については同一の参照番号を付し、重複する説明は省略する。
【実施例１】
【００１４】
図１は、本発明の光学機器１の構成を示す概略断面図である。なお、図１（ａ）は、ユーザーがファインダー光学系を介して被写体を視認しているときの配置を示しており、図１（ｂ）は、ユーザーが被写体を撮像しているときの配置を示している。
【００１５】
光学機器１は、被写体からの光を、撮像レンズを介して撮像素子に結像し、被写体を撮像する撮像装置であり、本実施形態では、デジタルスチルカメラとして具現化される。
【００１６】
光学機器１は、図１に示すように、対物レンズ１０と、主ミラー２０と、ファインダー光学系３０と、撮像素子４０と、焦点検出系５０と、制御部６０を有する。なお、主ミラー２０、ファインダー光学系３０、撮像素子４０、焦点検出系５０及び制御部６０は、カメラ本体を構成し、図示しないマウント部を介して対物レンズ１０を着脱可能とする。従って、対物レンズ１０は、必ずしも光学機器１の構成要件となるわけではない。
【００１７】
対物レンズ１０は、被写体を撮像するための交換型の撮像レンズであり、焦点調整レンズを含む撮像光学系を備えている。対物レンズ１０は、後述する制御部６０によって、焦点調整レンズを介して焦点が調整される。
【００１８】
主ミラー２０は、半透過性を有するミラーで構成され、対物レンズ１０を透過した光の一部を反射して後述する焦点板３２に導光すると共に、対物レンズ１０を透過した光の一部を透過して後述する焦点検出系５０に導光する。主ミラー２０は、撮像光路上への挿脱が可能なように構成され、ファインダー観察時には撮像光路上の所定の位置に配置され（図１（ａ）参照）、撮像時には撮像光路外に退避する（図１（ｂ）参照）。
【００１９】
ファインダー光学系３０は、撮像する被写体を観察するための光学系であり、本実施形態では、焦点板３２と、ペンタプリズム３４と、接眼レンズ３６とを有する。換言すれば、ファインダー光学系３０は、撮像される被写体の画像を擬似的にユーザーに提供する。
【００２０】
焦点板３２は、主ミラー２０で反射された対物レンズ１０からの光（被写体像）を拡散してペンタプリズム３４に射出する。ペンタプリズム３４は、互いに４５度の２つの反射面と、入射光と射出光に直角の２つの屈折面を含み、焦点板３２で拡散された光を反射し、接眼レンズ３６に導光する。接眼レンズ３６は、アイピースとも呼ばれ、ファンダー光学系３０において、最終的に像を結ぶ機能を有する。接眼レンズ３６は、例えば、光像を拡大する。
【００２１】
撮像素子４０は、規則的に配列された画素を有し、対物レンズ１０により結像される被写体からの光を受光し、画像信号に変換する（光電変換）機能を有する。撮像素子４０は、例えば、受光した光を画素毎に電気信号に変換し、その受光量に応じた電荷をそれぞれ蓄積して、その電荷を読み出すタイプのライン（１次元）センサーやエリア（２次元）センサーなどで構成される。また、撮像素子４０は、ＣＭＯＳセンサーで構成してもよい。なお、撮像素子４０からの出力信号は、図示しない画像処理回路にて所定の処理が施されて画像データとなり、かかる画像データは、図示しない半導体メモリ、光ディスク及び磁気テープ等の記録媒体に記録される。
【００２２】
焦点検出系５０は、位相差検出方式を利用して、対物レンズ１０の焦点状態を検出する。具体的には、焦点検出系５０は、対物レンズ１０からの光束を分割して少なくとも一対の像を形成し、かかる一対の像を光電変換して得られる信号に基づいて、対物レンズ１０の焦点状態を検出する。なお、本実施形態の焦点検出系５０は、焦点検出に必要な少なくとも一対の像を撮像素子４０を利用して光電変換するが、少なくとも一対の像を光電変換する受光素子を別途設けてもよい。
【００２３】
焦点検出系５０は、撮像光路上への挿脱が可能なように構成され、ファインダー観察時には撮像光路上の所定の位置に配置され（図１（ａ）参照）、撮像時には撮像光路外に退避する（図１（ｂ）参照）。
【００２４】
図２を参照して、焦点検出系５０を具体的に説明する。図２は、対物レンズ１０及び焦点検出系５０のみを展開して示す概略上面図である。焦点検出系５０は、図２に示すように、第１の結像レンズ５２と、瞳分離マスク５４と、第２の結像レンズ５６とを有する。
【００２５】
第１の結像レンズ５２は、対物レンズ１０からの光路上において、対物レンズ１０による予定結像面（例えば、撮像素子４０の受光面）である第１の結像面よりも対物レンズ１０側（物体側）に配置される。第１の結像レンズ５２は、対物レンズ１０からの光束を、第１の結像面よりも対物レンズ１０側の被写体像面（第２の結像面）ＩＳに結像する。換言すれば、第１の結像レンズ５２は、対物レンズ１０からの光束を対物レンズ１０による予定結像面よりも前段で結像させることで、焦点検出系５０を対物レンズ１０による予定結像面よりも前段に配置することを可能にすると共に、光学機器１の全長を短くし、光学機器１の小型化に寄与する。また、図２に示されるように、第１の結像レンズ５２は、正の光学的パワーを有し、対物レンズ１０からの光束を縮小して、被写体像面ＩＳに結像する。これにより、焦点検出系５０の全長を短くすることができる。
【００２６】
瞳分離マスク５４は、対物レンズ１０からの光束を分割する瞳分離の機能を有する一対の開口５４ａ及び５４ｂを有し、第１の結像レンズ５２を介して、対物レンズ射出瞳位置ＰＰの瞳１０ａ及び１０ｂと結像関係にある。
【００２７】
第２の結像レンズ５６は、一対の結像レンズ５６ａ及び５６ｂで構成される。結像レンズ５６ａは瞳分離マスク５４の開口５４ａに対応して、結像レンズ５６ｂは瞳分離マスク５４の開口５４ｂに対応して、撮像素子４０上で像が重なり合わないように配置され、被写体像面ＩＳの像を撮像素子４０に再結像させる。これにより、射出瞳の異なる像（光量分布）ＳＩａ及びＳＩｂが撮像素子４０上に形成される。
【００２８】
焦点検出系５０は、撮像素子４０が検出する一対の像ＳＩａ及びＳＩｂのずれ量を基に、所定の演算処理によって、焦点ずれの量を算出する。
【００２９】
なお、焦点検出系５０は、本実施形態では、水平方向に対してのみ一対の光学系（２次結像光学系）を示しているが、実際には、垂直方向に対しても同様な光学系が同様の光学的関係で配置されている。換言すれば、焦点検出系５０は、垂直方向にも一対の開口を有する図示しない瞳分離マスクと、垂直方向に配置された図示しない一対の第２の結像レンズとを有し、垂直方向に射出瞳が異なる像を撮像素子４０上に形成する。これにより、水平方向及び垂直方向に瞳分離した２対の像を得ることができる。
【００３０】
図３は、撮像素子４０上での焦点検出エリアを示す概略平面図であり、水平方向の一対の像ＳＩａ及びＳＩｂを検出する焦点検出エリアＤＡａ及びＤＡｂと、垂直方向の一対の像を検出する焦点検出エリアＤＡｃ及びＤＡｄを示している。焦点検出エリアＤＡａ乃至ＤＡｄ内の被写体範囲であれば、任意のポイントを焦点合わせポイントに選択することができる。
【００３１】
このように、焦点検出系５０は、第１の結像レンズ５２によって、像を結像（縮小結像）させることで、限られた面積の開口であっても焦点検出可能な領域を拡張することができる。更に、焦点検出系５０は、第１の結像レンズ５２の作用として、被写体像面ＩＳを撮像素子４０（第１の結像面）よりも前段に形成し、且つ、安定した瞳分離を実現するフィールドレンズの機能を持たせている。これにより、焦点検出系５０は、主ミラー２０と撮像素子４０との間に配置可能な小型化を実現すると共に、高精度に焦点を検出することができる２次結像系を実現する。換言すれば、焦点検出系５０は、光学機器１の小型化及び高品位化に寄与する。また、焦点検出に必要な一対の像の光電変換信号を撮像素子４０で取得し、別途、焦点検出専用の又は特殊な受光面形状のセンサーを必要としないため、コストアップを抑えることができる。
【００３２】
次に、図４を参照して、焦点検出系５０の変形例である焦点検出系５０Ａを説明する。図４は、対物レンズ１０及び焦点検出系５０Ａのみを展開して示す概略上面図である。焦点検出系５０Ａは、焦点検出系５０と比較して、第１の結像レンズ５２Ａ及び第２の結像レンズ５６Ａの構成が異なる。焦点検出系５０Ａは、図４に示すように、第１の結像レンズ５２Ａと、瞳分離マスク５４と、第２の結像レンズ５６Ａとを有する。
【００３３】
第１の結像レンズ５２Ａは、対物レンズ１０からの光路上において、対物レンズ１０による予定結像面又はそれと等価な面である第１の結像面よりも対物レンズ１０側に配置される。第１の結像レンズ５２Ａは、対物レンズ１０からの光束を、対物レンズ１０による結像面よりも対物レンズ１０側の被写体像面ＩＳに結像し、一対の結像レンズ５２Ａａ及び５２Ａｂで構成される。結像レンズ５２Ａａは瞳分離マスク５４の開口５４ａに対応して、結像レンズ５４ｂは瞳分離マスク５４の開口５４ｂに対応して、対物レンズ射出瞳位置ＰＰの瞳１０ａ及び１０ｂと結像関係になるように配置されている。第１の結像レンズ５２Ａは、被写体像面ＩＳを形成し、詳細には、結像レンズ５２Ａａ及び５２Ａｂに対応する一対の被写体像ＩＳａ及びＩＳｂを形成する。なお、一対の被写体像ＩＳａ及びＩＳｂが重なり合わないように、一対の結像レンズ５２Ａａ及び５２Ａｂと瞳分離マスク５４の開口５４ａ及び５４ｂを配置させる。また、結像レンズ５２Ａａ及び５２Ａｂは、第１の結像レンズ５２と同様に、対物レンズ１０の光学的パワーよりも大きな光学的パワーを有し、被写体像を縮小して被写体像面ＩＳに結像する。
【００３４】
第２の結像レンズ５６Ａは、瞳分離マスク５４の開口５４ａ及び５４ｂを介して、一対の被写体像ＩＳａ及びＩＳｂを撮像素子４０に再結像させる。これにより、射出瞳の異なる像ＳＩａ及びＳＩｂが撮像素子４０上に形成される。
【００３５】
焦点検出系５０Ａは、撮像素子４０が検出する一対の像ＳＩａ及びＳＩｂのずれ量を基に、所定の演算処理によって、焦点ずれの量を算出する。
【００３６】
焦点検出系５０Ａは、第１の結像レンズ５２Ａが結像レンズ５２Ａａ及び５２Ａｂの一対で構成されているため、焦点検出系５０と比較して、瞳分離マスク５４の開口５４ａ及び５４ｂが小さくなり、撮像素子４０上に撮像される被写体範囲も小さくなる。しかし、複数の焦点検出系５０Ａを同一面上に配置することにより、多点での焦点検出が可能となり、撮像素子４０を用いながらも焦点検出範囲を拡張することが可能となる。また、焦点検出系５０Ａは、焦点検出系５０と同様な効果を得ることができる。
【００３７】
制御部６０は、焦点検出系５０又は５０Ａが検出した対物レンズ１０の焦点ずれの方向及び量に基づいて、対物レンズ１０が有する焦点調整レンズを制御し、対物レンズ１０の焦点を調整する。実際には、制御部６０は、対物レンズ１０の焦点ずれの方向及び量に基づいて、焦点調整レンズの駆動量を算出し、かかる算出結果を図示しない撮像レンズ側制御部に送信する。かかる撮像レンズ側制御部は、制御部６０からの焦点調整レンズの駆動量に基づいて、モーター等を介して焦点調整レンズを駆動する。なお、図示しないが、対物レンズ１０を保持する交換レンズ内には、カメラ本体側の制御部６０と通信可能なレンズ制御部が設けられており、制御部６０からのフォーカス指令（上述の焦点ずれ量及びずれ方向の情報を含む）を受けたレンズ制御部は、モータ等のアクチュエータを制御してフォーカスレンズを駆動する。
【００３８】
光学機器１の動作について説明する。ファインダー観察時において、対物レンズ１０を透過した光は、主ミラー２０で反射され、焦点板３２に結像し、ペンタプリズム３４及び接眼レンズ３６を介して観察される。また、主ミラー２０を透過した光は、撮像光路上に配置された焦点検出系５０又は５０Ａに入射する。焦点検出系５０又は５０Ａは、上述したように、撮像素子４０上に一対又は複数対の像を形成し、対物レンズ１０の焦点状態を検出する。かかる検出結果に基づいて、制御部６０及び図示しない対物レンズ側制御部は、対物レンズ１０内に含まれるフォーカスレンズを駆動して、合焦状態を得る。
【００３９】
一方、撮像時（記録用画像の取得時）においては、主ミラー２０及び焦点検出系５０又は５０Ａは、撮像光路上から退避し、対物レンズ１０により形成された被写体像は、撮像素子４０で撮像される。光学機器１は、焦点検出系５０又は５０Ａによって対物レンズ１０の焦点を高精度に検出すると共に、かかる検出結果に基づいて、対物レンズ１０のフォーカス合わせをすることができるため、高品位な画像を撮像することができる。
【実施例２】
【００４０】
以下、図５を参照して、光学機器１の別の構成である光学機器１Ａについて説明する。図５は、本発明の光学機器１Ａの構成を示す概略断面図である。なお、図５（ａ）は、ユーザーがファインダー光学系を介して被写体を視認しているときの配置を示しており、図５（ｂ）は、ユーザーが被写体を撮像しているときの配置を示している。
【００４１】
光学機器１Ａは、光学機器１と同様な機能及び構成を有し、図５（ｂ）に示すように、対物レンズ１０と、主ミラー２０と、ファインダー光学系３０と、撮像素子４０と、焦点検出系５０Ｂと、制御部６０と、サブミラー７０とを有する。
【００４２】
焦点検出系５０Ｂは、実施例１の焦点検出系５０と比較して、第１の結像レンズ５２が主ミラー２０とサブミラー７０との間に配置され、また、焦点検出に必要な一対の像を撮像素子４０ではなく、独立したエリアセンサー５８で取得する点が異なる。但し、焦点検出系５０Ｂは、実質的には、焦点検出系５０と同様な光学系を有している。
【００４３】
焦点検出系５０Ｂは、撮像光路外に配置され、撮像光路上への挿脱が可能なように構成する必要がない。但し、第１の結像レンズ５２は、撮像光路上に配置されているため、撮像光路上への挿脱が可能なように構成され、ファインダー観察時には撮像光路上の所定の位置に配置され（図５（ａ）参照）、撮像時には撮像光路外に退避する。
【００４４】
サブミラー７０は、主ミラー２０及び透過レンズ５２を透過した光を反射し、焦点検出系５０Ｂに導光する。サブミラー７０は、撮像光路上への挿脱が可能なように構成され、ファインダー観察時には撮像光路上の所定の位置に配置され（図５（ａ）参照）、撮像時には撮像光路外に退避する。
【００４５】
このような構成により、撮像素子４０を焦点検出用センサーとして使用せずに、焦点検出可能な領域を拡張することができる。また、エリアセンサー５８に形成される射出瞳の異なる２次結像が歪むことがないため、エリアセンサー５８を特殊な形状にする必要がない。これにより、廉価なセンサーを選択することができ、コストアップを抑えることができる。また、従来のアナログ式カメラにも適用することが可能となる。
【００４６】
光学機器１の動作について説明する。ファインダー観察時において、レンズ１０を透過した光は、主ミラー２０で反射され、焦点板３２に結像し、ペンタプリズム３４及び接眼レンズ３６を介して観察される。また、主ミラー２０を透過した光は、第１の結像レンズ５２を透過し、サブミラー７０で反射されて焦点検出系５０Ｂに入射する。焦点検出系５０Ｂは、対物レンズ１０の焦点を検出する。かかる検出結果に基づいて、制御部６０及び図示しない対物レンズ側制御部は、対物レンズ１０の焦点を調整する。
【００４７】
一方、撮像時において、主ミラー２０、第１の結像レンズ５２及びサブミラー７０は、撮像光路上から退避し、対物レンズ１０を透過した光は、撮像素子４０で撮像される。撮像装置１は、焦点検出系５０Ｂによって対物レンズ１０の焦点を高精度に検出すると共に、かかる検出結果に基づいて、対物レンズ１０の焦点を調整することができるため、高品位な画像を撮像することができる。
【００４８】
以上、本発明の好ましい実施例について説明したが、本発明はこれらの実施例に限定されないことはいうまでもなく、その要旨の範囲内で種々の変形及び変更が可能である。例えば、本発明は、デジタルスチルカメラを例に説明したが、デジタルビデオカメラやその他の光学機器に適用することも可能である。
【図面の簡単な説明】
【００４９】
【図１】本発明の一側面としての光学機器の構成を示す概略断面図である。
【図２】図１に示す対物レンズ及び焦点検出系のみを展開して示す概略上面図である。
【図３】図２に示す撮像素子上での焦点検出エリアを示す概略平面図である。
【図４】図１に示す対物レンズ及び焦点検出系のみを展開して示す概略上面図である。
【図５】本発明の一側面としての光学機器の構成を示す概略断面図である。
【図６】従来の焦点検出系を有する光学機器の構成を示す概略断面図である。
【図７】図６に示す対物レンズ及び焦点検出系のみを展開して示す概略上面図である。
【符号の説明】
【００５０】
１                    光学機器
１０                  対物レンズ
１０ａ及び１０ｂ      瞳
４０                  撮像素子
５０                  焦点検出系
５２                  第１の結像レンズ
５４                  瞳分離マスク
５４ａ及び５４ｂ      開口
５６                  第２の結像レンズ
５６ａ及び５６ｂ      結像レンズ
５０Ａ                焦点検出系
５２Ａ                １次結像レンズ
５２Ａａ及び５２Ａｂ  結像レンズ
５６Ａ                ２次結像レンズ
５０Ｂ                焦点検出系
５８                  エリアセンサー
７０                  サブミラー
ＰＰ                  対物レンズ射出瞳位置
ＩＳ                  被写体像面
ＳＩａ及びＳＩｂ      ２次結像
ＩＳａ及びＩＳｂ      被写体像
【図１】
2006308926.tif 000003
【図２】
2006308926.tif 000004
【図３】
2006308926.tif 000005
【図４】
2006308926.tif 000006
【図５】
2006308926.tif 000007
【図６】
2006308926.tif 000008
【図７】
2006308926.tif 000009